(57)【要約】  【課題】天板付家具の使用端縁に他の天板付家具の後端縁を当接ないし近接させて配置する際に、特別な部品を用意することなく他の天板付家具に着座する着座者の脚部空間を大きく確保できるようにする。  【解決手段】天板付家具たる補助テーブルＴ１に、他の天板付家具たるテーブルＴ２の天板ａ１に当接ないし近接させることが可能な端縁である後端縁１ａを有する天板１と、床面上に起立させる複数の脚２１、２２を有し天板１を支持する支持構造体２とを具備させ、前記支持構造体２の少なくとも１つの後脚２２を含む一部である延出部２ｘを、前記天板１の後端縁１ａを越えて平面視外側に位置させる。  【選択図】図１
2006326275.tif 000002
【特許請求の範囲】
【請求項１】
他の天板に当接ないし近接させることが可能な端縁である後端縁を有する天板と、床面上に起立させる複数の脚を有し天板を支持する支持構造体とを具備し、前記支持構造体の少なくとも１つの脚を含む一部を、前記天板の後端縁を越えて平面視外側に位置させていることを特徴とする天板付家具。
【請求項２】
前記支持構造体の少なくとも前記天板の後端縁よりも平面視外側に位置させている部位である延出部の幅寸法を、前記天板の幅寸法よりも小さくしていることを特徴とする請求項１記載の天板付家具。
【請求項３】
前記延出部の上端の高さ位置が、前記支持構造体の他の部位の上端の高さ位置よりも下方であることを特徴とする請求項１又は２記載の天板付家具。
【請求項４】
前記支持構造体が、天板の下方に位置する第１の脚と、前記端縁よりも平面視外側に位置させている第２の脚と、これら第１及び第２の脚の上端部間を接続するフレームとを具備し、前記フレームの前記延出部に含まれる部位を、該フレームの前記天板下方に位置させている部位よりも下方に位置させていることを特徴とする請求項３記載の天板付家具。
【請求項５】
前記第２の脚を１本のみ具備することを特徴とする請求項４記載の天板付家具。
【請求項６】
前記支持構造体の前記第２の脚のうち少なくとも１本の下端にキャスタを設けていることを特徴とする請求項４又は５記載の天板付家具。
【発明の詳細な説明】
【技術分野】
【０００１】
本発明は、オフィス等において好適に用いられる天板付家具に関する。
【背景技術】
【０００２】
従来、オフィス等において、集中して作業を行う必要がある者の使用に供すべく、平面視Ｌ字状をなす天板空間を形成し、この天板空間のいずれかの辺に着座するようにする種々の態様が考えられている。
【０００３】
このような使用態様に利用可能な天板付家具として、平面視Ｌ字状をなす天板を有し、この天板を脚体に支持させてなるものが考えられている。（例えば、特許文献１を参照。）
【特許文献１】特開２００２−２１９０２１号公報
【発明の開示】
【発明が解決しようとする課題】
【０００４】
しかして、平面視Ｌ字状をなす天板を有する天板付家具は、天板の形状及び脚体の構成が特殊であることから、このような天板付家具は通常の天板付家具と比較してより高価である。また、このような天板付家具は、天板付家具の天板を幅方向に隣接して設けるとともに、天板の反使用端同士を互いに対向させ、互いに向かい合って着座して利用する、いわゆる島型配置と呼ばれる使用態様には利用しにくい。
【０００５】
そこで、一般的な形状の天板を有する第１の天板付家具の後端縁を、一般的な形状の天板を有する第２の天板付家具の使用端縁に当接又は近接させ、全体として平面視略Ｌ字状をなす天板空間を形成する方法も考えられているが、このような使用態様において、着座者は第１の天板付家具に着座して使用することがある。
【０００６】
このとき、第１の天板付家具の脚が着座者の近くに位置し、着座者が窮屈に感じられることがある。
【０００７】
また、上述した方法により全体として平面視略Ｌ字状をなす天板空間を形成する際、通常は第１の天板付家具の天板の後端縁の裏面及び第２の天板付家具の天板の使用端縁の裏面にわたって金具等の取付具を配し、この取付具を介して互いに固定する態様がとられているが、取付具を着脱する際に天板の裏面にアクセスする必要があることから、取付具を着脱する手間がわずらわしく思われることがある。
【０００８】
本発明は、前記課題を解決すべく構成するものである。
【課題を解決するための手段】
【０００９】
すなわち本発明に係る天板付家具は、他の天板に当接ないし近接させることが可能な端縁である後端縁を有する天板と、床面上に起立させる複数の脚を有し天板を支持する支持構造体とを具備し、前記支持構造体の少なくとも１つの脚を含む一部を、前記天板の後端縁を越えて平面視外側に位置させていることを特徴とする。
【００１０】
このように構成すれば、前記支持構造体の一部は、天板の後端縁を他の天板に当接ないし近接させる際に、前記他の天板の下方に位置するようになるので、脚がこの天板に着座する着座者の妨げにならない。さらに、前記支持構造体は床面上に起立させる複数の脚を有することから自立性を有するので、特殊な部品を用いることなくかつ容易に天板を他の天板に当接させる状態にでき、さらに、他の天板の使用端の任意の位置に後端縁を当接ないし近接させることができるので、脚がこの天板に着座する着座者の妨げにならないようにしつつ、配置の自由度を高めることができる。
【００１１】
このような天板付家具を他の天板付家具に横向きに隣接して設ける場合に有効な態様として、前記支持構造体の少なくとも前記天板の後端縁よりも平面視外側に位置させている部位である延出部の幅寸法を、前記天板の幅寸法よりも小さくしているものが挙げられる。このようなものであれば、他の天板付家具の端部に脚が存在する場合に、この天板付家具の脚が他の天板付家具の脚と干渉しないようにできる。
【００１２】
天板下方に抽斗や天板補強用フレーム等の構造体を設けた天板付家具に隣接して設ける際に有効な態様として、前記延出部の上端の高さ位置が、前記支持構造体の他の部位の上端の高さ位置よりも下方であるものが挙げられる。このようなものであれば、前記延出部の高さ寸法は、前記支持構造体の他の部位の高さ寸法よりも小さいので、前記抽斗や天板補強用フレーム等の構造体を設けた天板付家具の構造体の下面が、該延出部を有する天板付家具の天板の下面より下方であっても、該延出部を前記構造体の下方に位置させることができるようになる。
【００１３】
このような効果をより具体的に実現できる構成として、前記支持構造体が、天板の下方に位置する第１の脚と、前記端縁よりも平面視外側に位置させている第２の脚と、これら第１及び第２の脚の上端部間を接続するフレームとを具備し、前記フレームの前記延出部に含まれる部位を、該フレームの前記天板下方に位置させている部位よりも下方に位置させているものが挙げられる。
【００１４】
特に、前記第２の脚を１本のみ具備するものであれば、他の天板下方の空間の占有を最小限にでき、従って他の天板に着座する着座者の下肢を配する下肢空間を広くとることができる。
【００１５】
さらに、前記支持構造体の前記第２の脚のうち少なくとも１本の下端にキャスタを設けているものであれば、前記後端縁と反対側の端縁である前端縁を持ち上げることによりこの天板付き家具をキャスタのみが接地した状態にでき、このような天板付き家具に隣接させる対象の他の天板を変更する際やこのような天板付き家具を撤去する際の移動を容易に行うことができる。
【００１６】
なお、本発明において、「支持構造体」は、全体を一体に構成しているものに限らず、複数の部材を組み合わせて全体として天板を支持可能に構成しているものも含む概念である。
【発明の効果】
【００１７】
本発明は、以上のような構成であるから、特殊な部品を用いることなく脚がこの天板に着座する着座者の妨げにならないようにしつつ、少ない手間で天板を他の天板の使用端の任意の位置に当接させるようにして、配置の自由度を高めることができる。
【発明を実施するための最良の形態】
【００１８】
以下、本発明の一実施形態を、図面を参照して説明する。
【００１９】
この実施形態にかかる天板付家具たる補助テーブルＴ１は、図１に全体斜視図、図２の（ａ）に平面図、同図の（ｂ）に正面図、同図の（ｃ）に側面図をそれぞれ示すように、天板１と、この天板１を支持する支持構造体２とを具備する。
【００２０】
前記天板１は、平面視略矩形状をなし、他の天板付家具たるテーブルＴ２の天板ａ１の使用端縁に後端縁１ａを当接可能にしている。他のテーブルＴ２の天板ａ１の使用端縁に後端縁１ａを当接させた状態の平面図及び側面図を、図３及び図４にそれぞれ示す。
【００２１】
前記支持構造体２は、第１の脚たる前脚２１と、第２の脚たる後脚２２と、これら前脚２１及び後脚２２を接続するフレーム２３とを具備する。具体的には、前記前脚２１は、左右１対の脚支柱２１１、２１１と、これら脚支柱２１１、２１１の上端部間に横架して設けた横架材２１２と、これら、脚支柱２１１、２１１および横架材２１２に支持させてなる幕板２１３とを具備し、天板１の前端部の下方に位置する。また、後脚２２、及びフレーム２３は、本実施形態では１本の鉄パイプを屈曲させて一体に形成しているとともに、それぞれ左右１対に設けている。すなわち、後脚２２を床面から起立させて設けているとともに、フレーム２３の前端を前記前脚２１に接続していて、さらにこれら後脚２２及びフレーム２３を屈曲部２４を介して接続するようにしている。また、本実施形態では、後脚２２、２２間に、幕板２６を設けている。
【００２２】
さらに本実施形態では、天板１と支持構造体２との接続は、天板取付部２５を介して行うようにしている。
【００２３】
この天板取付部２５は、本実施形態では、前脚２１に取り付けられ天板１の前端部を支持する第１天板取付具２５１と、フレームの２３の奥行き方向中間部に取り付けられ天板１の後端近傍を支持する第２天板取付具２５２とを具備する。前記第１天板取付具２５１付近を拡大して示した側面図を図５、前記第２天板取付具２５２付近を拡大して示した側面図を図６にそれぞれ示す。
【００２４】
前記第１天板取付具２５１は、前脚２１の背面又は天板１の裏面のうち一方に当接可能な第１当接面２５１ａと、前脚２１の背面又は天板１の裏面のうち他方に当接可能な第２当接面２５１ｂとを具備する。これら第１当接面２５１ａ及び第２当接面２５１ｂには、ねじを挿通可能なねじ挿通孔をそれぞれ形成している。そして、前記第１当接面２５１ａを天板１の裏面に当接させた図５の（ａ）に示すような第１取付姿勢と、前記第１当接面２５１ｂを天板１の裏面に当接させた同図の（ｂ）に示すような第２取付姿勢とを選択的にとることができるとともに、これら第１及び第２取付姿勢における天板１の高さ位置が異なるようにしている。
【００２５】
前記第２天板取付具２５２は、互いに直交しそれぞれ天板１の裏面に当接可能な第１当接面２５２ａ及び第２当接面２５２ｂを具備する。これら第１当接面２５２ａ及び第２当接面２５２ｂには、ねじを挿通可能なねじ挿通孔をそれぞれ形成している。そして、前記第１当接面２５２ａを天板１の裏面に当接させた図６の（ａ）に示すような第１取付姿勢と、前記第１当接面２５２ｂを天板１の裏面に当接させた同図の（ｂ）に示すような第２取付姿勢とを選択的にとることができるとともに、これら第１及び第２取付姿勢における天板１の高さ位置が異なるようにしている。すなわち、この天板取付部２５は、天板１の高さ位置を変更可能に支持する天板高さ変更機構として機能する。
【００２６】
しかして本実施形態では、前記支持構造体２の一部を天板１の後端縁１ａを越えて平面視外側に位置させている。
【００２７】
すなわち、天板１を他のテーブルＴ２の天板ａ１に当接させて用いる際に、前記支持構造体２のうち、天板１の後端縁１ａを越えて平面視外側に位置する部位である延出部２ｘを、前記他のテーブルＴ２の天板ａ１下方に位置させることができるようにしている。
【００２８】
具体的には、前記フレーム２３を、天板１の後端縁１ａを越えて後方に延伸させ、前記屈曲部２４をテーブルＴ２の天板ａ１の下方に位置させることを可能にしているとともに、後脚２２を、前記フレーム２３の後端すなわち前記屈曲部２４から垂下させ、天板１の後端縁１ａを越えて平面視外側に位置する床面から起立させて設けるようにしている。
【００２９】
また、前記支持構造体２の延出部２ｘの幅寸法ｄ２は、この補助テーブルＴ１の後端縁１ａを他のテーブルＴ２の天板ａ１に幅方向端部に当接ないし近接させた際にこの延出部２ｘが他のテーブルＴ２の天板ａ１の側端部下方に位置する脚ａ２１、ａ２２と干渉しないようにすべく、天板１の幅寸法ｄ１よりも小さくしている。具体的には、この延出部２ｘの幅寸法ｄ２は、左右１対に設けた前記フレーム２３、２３及び後脚２２、２２の左右両端間の距離であり、この距離を天板１の幅寸法ｄ１よりも小さくしている。なお、本実施形態では、他のテーブルＴ２は複数の天板ａ１を有し、該テーブルの幅方向両端部に位置させている天板ａ１の側端縁の下方にエンド脚ａ２１、その他の天板の側端縁の下方に中間脚ａ２２をそれぞれ設けている。
【００３０】
加えて、延出部２ｘの上端の高さ位置は、この支持構造体２の他の部位、すなわち天板１の下方に位置する部位である非延出部２ｙの上端の高さ位置よりも下方である。すなわち、床面から前記フレーム２３の前記延出部２ｘに含まれる部分である後部２３ｂの上端までの高さ寸法ｈ２を、床面から該フレーム２３の前記非延出部２ｙに含まれる部分である前部２３ａの上端までの高さ寸法ｈ１よりも小さくしている。
【００３１】
このように構成した補助テーブルＴ１は、他のテーブルＴ２の天板ａ１の使用端縁に後端縁を当接させて使用する。
【００３２】
このとき、前記支持構造体２の延出部２ｘ、すなわち前記後脚２２及び前記フレーム２３の後部２３ｂは、他のテーブルＴ２の天板ａ１の下方に位置させるようにしている。また、前記フレーム２３の後部２３ｂの上面の高さ位置は、他のテーブルＴ２において天板ａ１を支持する支持構造体の一部であり天板ａ１の下方に位置するフレームａ２３の下面の高さ位置に略一致させている。
【００３３】
この補助テーブルＴ１において、天板１は、他のテーブルＴ２の天板ａ１の使用端縁に後端縁１ａを当接させて使用する場合であっても、この補助テーブルＴ１の支持構造体２のみにより支持させている。すなわち、この天板１は、前記支持構造体２の幅方向位置を変更することにより、他のテーブルＴ２の天板ａ１のどの幅方向位置にも当接させることができるようにしている。
【００３４】
すなわち、本実施形態に係る補助テーブルＴ１は、前記支持構造体２の後脚２２を含む部位である延出部２ｘを、前記天板１の後端縁１ａを越えて平面視外側に位置させることにより、天板１の後端縁１ａを他のテーブルＴ２の天板ａ１に当接ないし近接させる際に、前記延出部２ｘを、前記他のテーブルＴ２の天板ａ１の下方に位置させ、後脚２２が補助テーブルＴ１に着座する着座者の妨げにならないようにできる。さらに、前記支持構造体２は床面上に起立させた前脚２１及び後脚２２により自立性を有するので、特殊な部品を用いることなく少ない手間で天板１を他のテーブルＴ２の天板ａ１に当接させる状態にでき、さらに、他のテーブルＴ２の天板ａ１の使用端の任意の位置に後端縁１ａを当接ないし近接させることができるので、後脚２２がこの天板１に着座する着座者の妨げにならないようにしつつ、配置の自由度を高めることができる。
【００３５】
また、前記支持構造体２の延出部２ｘの幅寸法ｄ２を、前記天板１の幅寸法ｄ１よりも小さくしているので、延出部２ｘと他のテーブルＴ２の脚ａ２１、ａ２２とが干渉しないようにでき、従って、この補助テーブルＴ１の天板１の後端縁１ａを他のテーブルＴ２の天板ａ１の使用端縁の端部に当接ないし近接させることができる。
【００３６】
さらに、前記延出部２ｘの上端の高さ位置が前記支持構造体２の他の部位である非延出部２ｙの上端の高さ位置よりも下方である、すなわち、前記延出部２ｘの高さ寸法ｈ２を、前記非延出部２ｙの高さ寸法ｈ１よりも小さくしているので、他のテーブルＴ２の天板ａ１下方の構造体であるフレームａ２３の下方に延出部２ｘを位置させることができるようになる。すなわち、延出部２ｘを、他のテーブルＴ２の天板ａ１下方の構造体であるフレームａ２３や抽斗等と干渉しないようにすることができる。
【００３７】
そして、前記支持構造体２に、天板１の下方に位置する前脚２１と、前記後端縁１ａよりも平面視外側に位置させている後脚２２と、これら前脚２１及び後脚２２の上端部間を接続するフレーム２３とを具備させ、前記フレーム２３の前記延出部２ｘに含まれる部位である後部２３ｂを、該フレーム２３の前記天板１下方に位置させている部位である前部２３ａよりも下方に位置させているので、前段に述べた効果を簡単な構成で実現できる。
【００３８】
なお、本発明は以上に述べた実施形態に限られない。
【００３９】
例えば、上述した実施形態において、第２の脚は２本設けているが、他の天板下方の空間の占有を最小限にとどめるべく、第２の脚を１本だけ設けるようにしてもよい。
【００４０】
加えて、このような天板付家具を容易に移動できるようにすべく、少なくとも１本の第２の脚の下端部にキャスタを設けるようにしてもよい。
【００４１】
さらに、異なる種類の他の天板に面一な状態で隣接可能にすべく天板と支持構造体とを天板の高さ位置を変更可能に接続する態様として、上述した実施形態における天板取付部２５を用いる代わりに、アジャスタを利用するようにしてもよい。
【００４２】
これらを具体的に実現できる態様として、全体斜視図を図７、正面図を図８、側面図を図９、平面図を図１０、要部の分解斜視図を図１１にそれぞれ示すような天板付家具たる補助テーブルＴＴ１が考えられる。
【００４３】
この補助テーブルＴＴ１は、上述した実施形態に係る補助テーブルＴ１と同様に、天板Ｘ１と、この天板Ｘ１を支持する支持構造体Ｘ２とを具備する。
【００４４】
前記天板Ｘ１は、上述した実施形態に係る補助テーブルＴ１の天板１と同様の構成を有する。すなわち、平面視略矩形状をなし、他の天板付家具たるテーブルＴ２の天板ａ１の使用端縁に後端縁Ｘ１ａを当接可能にしている。
【００４５】
前記支持構造体Ｘ２は、第１の脚たる前脚Ｘ２１と、第２の脚たる後脚Ｘ２２と、これら前脚Ｘ２１及び後脚Ｘ２２を接続するフレームＸ２３と、このフレームＸ２３の上方に配してなり天板Ｘ１を下方から支持する天板支持体Ｘ３とを具備する。具体的には、前記前脚Ｘ２１は、この補助テーブルＴＴ１の前面を構成する幕板Ｘ２１１と、床面から起立させて設けてなり前記幕板Ｘ２１１を下方から支持するアジャスタ部Ｘ２１２とを具備し、天板Ｘ１の前端部の下方に位置する。また、後脚Ｘ２２は、略鉛直に起立する柱状の後脚本体Ｘ２２１と、この後脚本体Ｘ２２１の下端に設けたキャスタ部材Ｘ２２２とを具備する。前記キャスタ部材Ｘ２２２は、対をなして設けている転動輪Ｘ２２２ａ、Ｘ２２２ａと、これら転動輪Ｘ２２２ａ、Ｘ２２２ａ間を接続しているとともに前記後脚本体Ｘ２２１の下端に接続したシャフトＸ２２２ｂと、このシャフトＸ２２２ｂから下方に突出させて設けていて、補助テーブルＴＴ１を床面に固定する際に接地させてなる脚アジャスタＸ２２３とを具備する。前記後脚本体Ｘ２２１及びフレームＸ２３は、本実施形態では１本の鉄パイプを屈曲させて一体に形成しているとともに、この態様では１本だけ設けている。すなわち、前記後脚Ｘ２２を床面から起立させて設けているとともに、フレームＸ２３の前端を前記前脚Ｘ２１に接続していて、さらに後脚本体Ｘ２２１及び前記フレームＸ２３を屈曲部Ｘ２４を介して接続するようにしている。さらに詳述すると、前記フレームＸ２３は中空であるとともに、前記前脚Ｘ２１の幕板Ｘ２１１の内面に切り起こし部Ｘ２１１ａを設けていて、この切り起こし部Ｘ２１１ａを前記フレームＸ２３の前端に収納し、これら切り起こし部Ｘ２１１ａとフレームＸ２３の前端とをビス止めあるいは溶接等により固着するようにしている。
【００４６】
しかしてこの態様でも、前記支持構造体Ｘ２の一部を天板Ｘ１の後端縁Ｘ１ａを越えて平面視外側に位置させている。
【００４７】
すなわち、天板Ｘ１を他のテーブルＴ２の天板ａ１に当接させて用いる際に、前記支持構造体Ｘ２のうち、天板Ｘ１の後端縁Ｘ１ａを越えて平面視外側に位置する部位である延出部Ｘ２ｘを、前記他のテーブルＴ２の天板ａ１下方に位置させることができるようにしている。
【００４８】
具体的には、前記フレームＸ２３を、天板Ｘ１の後端縁Ｘ１ａを越えて後方に延伸させ、前記屈曲部Ｘ２４をテーブルＴ２の天板ａ１の下方に位置させることを可能にしているとともに、後脚Ｘ２２を、前記フレームＸ２３の後端すなわち前記屈曲部Ｘ２４から垂下させ、天板Ｘ１の後端縁Ｘ１ａを越えて平面視外側に位置する床面から起立させて設けるようにしている。
【００４９】
また、前記支持構造体Ｘ２の延出部Ｘ２ｘの幅寸法ｄ２０は、この補助テーブルＴＴ１の後端縁Ｘ１ａを他のテーブルＴ２の天板ａ１に幅方向端部に当接ないし近接させた際にこの延出部Ｘ２ｘが他のテーブルＴ２の天板ａ１の側端部下方に位置する脚ａ２１、ａ２２と干渉しないようにすべく、天板Ｘ１の幅寸法ｄ１０よりも小さくしている。具体的には、この延出部Ｘ２ｘの幅寸法ｄ２０は、前記フレームＸ２３及び後脚Ｘ２２の巾寸法であり、この巾寸法を天板Ｘ１の幅寸法ｄ１０よりも小さくしている。
【００５０】
加えて、延出部Ｘ２ｘの上端の高さ位置を、この支持構造体Ｘ２の他の部位、すなわち天板Ｘ１の下方に位置する部位である非延出部Ｘ２ｙの上端の高さ位置よりも下方に設定している。すなわち、床面から前記フレームＸ２３の前記延出部Ｘ２ｘに含まれる部分である後部Ｘ２３ｂの上端までの高さ寸法ｈ２０を、床面から前記非延出部Ｘ２ｙに含まれる部分である天板支持体Ｘ３の上端、すなわち天板の下面Ｘ１までの高さ寸法ｈ１０よりも小さくしている。
【００５１】
前記天板支持体Ｘ３は、前記図１１、及び模式的な中央横断面図である図１２に示すように、天板Ｘ１の下面側に取り付けた上ステーＸ３１と、上ステーＸ３１を下方から支持する下ステーＸ３３とを主に有している。そしてこの天板支持体Ｘ３に、上ステーＸ３１と下ステーＸ３３との上下方向の相対距離を変更することによって天板Ｘ１の高さ位置を調整することができるアジャスタ機構Ａを設けているとともに、アジャスタ機構Ａによる天板Ｘ１の上下動作の範囲を制限する可動範囲制限機構を設けている。なお、前記図１１において、この天板支持体Ｘ３以外は想像線により示している。
【００５２】
上ステーＸ３１は、前記図１１に示すように、断面視下向きに開口したチャネル形状をなしており、当該チャネルの下向き面を後述するナット部Ｘ３２を取り付ける取付面Ｘ３１１とし、前記チャネルの起立した部分を垂下縁Ｘ３１２としている。そして上ステーＸ３１の長手方向両端すなわち天板Ｘ１の四隅近傍に位置する部分には穴部Ｘ３１３を設け当該穴部Ｘ３１３にナット要素Ｘ３２ａが連通するようにナット部Ｘ３２を取付面Ｘ３１１に対して例えば溶接等によって取り付けている。また、上ステーＸ３１の上面側と天板Ｘ１とを取り付ける態様は、例えば図示の通りビスｂによって取り付ける態様の他、接着剤によって接着する態様等、既存の種々の態様を用いることができる。
【００５３】
そして、上述の垂下縁Ｘ３１２のうち内側に面する内壁Ｘ３１２ａには、ナット穴Ｘ３１２ｂを設け、当該ナット穴Ｘ３１２ｂには突出部材たるボルトＸ３１４を取り付けている。そしてボルトＸ３１４は、ナット穴Ｘ３１２ｂに取り付けることにより、天板Ｘ１の上下移動にともなって上下移動する従動部として作用するものである。またボルトＸ３１４は、後述する長穴Ｘ３３３とともに、可動範囲制限機構を構成している。また同じく内壁Ｘ３１２ａの中央部分には、矩形状に切り起こし上述した後述する抽斗支持枠Ｘ５を天板Ｘ１とともに固定するための固定板Ｘ３１２ｃを設け、当該固定板Ｘ３１２ｃに枠取付穴Ｘ３１２ｄを２箇所に設けている。
【００５４】
下ステーＸ３３は、前記図１１及び図１２に示すように、上ステーＸ３１に係り合う水平方向に延びる上部Ｘ３３１と、当該上部Ｘ３３１の中央部から下へ伸びる下部Ｘ３３２とによって構成される側面視略Ｔ字状の例えば金属板の折曲げにより構成されたものである。上部Ｘ３３１は、上述した上ステーＸ３１を略覆い得る形状をなしているものである。具体的には後述するボルト部Ｘ３４を支持する支持面Ｘ３３１ｂと、支持面の周辺を起立させて形成した起立縁Ｘ３３１ａと、ボルト部Ｘ３４を挿通させてハンドルＸ３４２ｂを取り付けるためのハンドル孔Ｘ３３１ｃとを有している。そして、下ステーＸ３３のいわゆるＴ字における下向きの面をオーバーハング部Ｘ３３ａとし、当該オーバーハング部３３ａに後述するアジャスタ機構Ａを構成するハンドルＸ３４２ａを取り付けている。詳細には、上述したナット要素Ｘ３２ａの位置に対応してハンドルＸ３４２ａもまた両端付近に、すなわち天板Ｘ１の下面側４隅近傍にそれぞれ取り付けられている。ここで、オーバーハング部Ｘ３３ａに取り付けたハンドルＸ３４２ａは横方向並びに下方向に開放された状態で取り付けられているので、ハンドルＸ３４２ａを操作するための操作空間は、ハンドルＸ３４２ａの側方並びに下方に形成していることとなる。さらに、この下ステーＸ３３と前記フレームＸ２３との間にはスペーサ部材Ｘ２９を介在させていて、この下ステーＸ３３の下面を前記スペーサ部材Ｘ２９の上面、前記スペーサ部材Ｘ２９の下面を前記フレームＸ２３の上面にそれぞれ当接させた状態にこれら下ステーＸ３３、スペーサ部材Ｘ２９、及びフレームＸ２３を連結させるようにしている。
【００５５】
そして、起立縁Ｘ３３１ａの内側である内縁Ｘ３３１ｄの長手方向上端には、上ステーＸ３１側の固定板Ｘ３１２ｃへの干渉を回避するための切り込みＸ３３１ｅを設けている。そして起立縁Ｘ３３１ａの内側である内縁Ｘ３３１ｄのうち、ハンドル孔Ｘ３３１ｃに近接した所定位置に、上述したボルトＸ３１４を挿通させ、当該ボルトＸ３１４の上下移動を規制する規制部たる長穴Ｘ３３３を形成している。この長穴Ｘ３３３は、上述のボルトＸ３１４とともに、可動範囲制限機構を構成している。
【００５６】
また天板支持体Ｘ３には、天板Ｘ１の高さ及び傾きを調整し得るアジャスタ機構Ａを設けている。
【００５７】
アジャスタ機構Ａは、図１２に示すように、上ステーＸ３１に溶接等によって回転不能に固定されたナット部Ｘ３２と、ハンドルＸ３４２ａを有し下ステーＸ３３に落下不能に支持されたボルト部Ｘ３４とによって主に構成している。
【００５８】
ナット部Ｘ３２は、上述の通り上ステーＸ３１の長手方向両端付近において、上ステーＸ３１の取付面Ｘ３１１に溶接等によって回転不能に固定されている。そしてナット部Ｘ３２の内面であるナット要素Ｘ３２ａは上ステーＸ３１の穴部Ｘ３１３並びに天板Ｘ１の収容穴Ｘ１ａに連通している。
【００５９】
ボルト部Ｘ３４は、ナット部Ｘ３２のナット要素Ｘ３２ａに対して螺合し得るボルト要素Ｘ３４１と、当該ボルト要素Ｘ３４１を支持し且つ下ステーＸ３３に対して落下不能に当接支持される支持要素Ｘ３４１ｂと、下ステーＸ３３の下側に配置され操作力をボルト要素Ｘ３４１に伝達し得るハンドルＸ３４２ａとハンドルＸ３４２ａを嵌合突部Ｘ３４１ｃ側へ固定するビスｂとによって主に構成されている。そして、ボルト要素Ｘ３４１と支持要素Ｘ３４１ｂとを一体に形成するとともに、ハンドルＸ３４２ａを、ボルト要素Ｘ３４１及び支持要素Ｘ３４１ｂに対して別体に構成している。具体的には支持要素Ｘ３４１ｂの下側に直方体形状の嵌合凸部Ｘ３４１ｃを設けるとともにハンドルＸ３４２ａの上側に嵌合凸部Ｘ３４１ｃに嵌り得る嵌合凹部Ｘ３４２ｃを設け、組み付けの際にはボルト部Ｘ３４の嵌合凸部Ｘ３４１ｃをハンドル孔Ｘ３３１ｂに通し、当該嵌合凸部Ｘ３４１ｃと嵌合凹部Ｘ３４２ｃとを下ステーＸ３３を挟んで嵌合させ、ハンドルＸ３４２ａの下側から支持要素Ｘ３４１ｂとハンドルＸ３４２ａとをビスｂによって固定することによって、ボルト部Ｘ３４を下ステーＸ３３に取り付けている。そして、下ステーＸ３３に取り付けたボルト部Ｘ３４のボルト要素Ｘ３４１を上ステーＸ３１側のナット部Ｘ３２のナット要素Ｘ３２ａに螺合させることによって、上ステーＸ３１と下ステーＸ３３との組み付けが完了する。このとき、前記図１２に示すように、上ステーＸ３１の垂下縁Ｘ３１２及び下ステーＸ３３の起立縁Ｘ３３１ａが、側面視重複した状態で上下方向に嵌合するように構成することによって、アジャスタ機構Ａによる天板Ｘ１の上下動の際に他の物を挟んでしまうといった不具合を回避している。
【００６０】
さらにこの態様では、天板支持体Ｘ３、Ｘ３間に抽斗Ｘ４を抽斗支持枠Ｘ５を介して取付可能にしている。
【００６１】
抽斗支持枠Ｘ５は、前記図１１に示すように、一対の断面Ｌ字状をなす横枠Ｘ５１と、当該横枠Ｘ５１同士の一端をそれぞれ連結する基端枠Ｘ５２とを有する平面視概略コの字状をなす金属板を主体としてなるものであり、一対の横枠Ｘ５１の立面部Ｘ５１ａに抽斗Ｘ４を案内するためのレールＸ５１ｒをそれぞれ取り付けている。また、一対の横枠Ｘ５１の平面部Ｘ５１ｂに、ビスｂを通し得る２箇所の固定穴Ｘ５３を形成している。そしてこの抽斗支持枠を天板２に取り付ける際には前記平面部Ｘ５１ｂを上ステーＸ３１の固定板Ｘ３１２ｃの上側に配置し、当該固定穴Ｘ５３を上ステーＸ３１の枠取付穴Ｘ３１２ｄに連通させて下側からビスｂを通し天板Ｘ１に固定する。なお、前記天板支持体Ｘ３と前記横枠Ｘ５１との間の隙間の幅は、通常の家具の組み立てに供するドライバを挿入不可能な寸法、例えば０．５〜３ｃｍの間の所定値に設定している。
【００６２】
そして、前記抽斗Ｘ４にはロック機構を設けている。この態様では、ロック機構を利用して抽斗Ｘ４を閉止状態にロックした場合、可動範囲制限機構を構成する長穴Ｘ３３３とボルトＸ３１４との係合状態を解除することが不可能であるので、抽斗Ｘ４を天板Ｘ２及び上ステーＸ３１ごと引き抜いて持ち去ることもまた不可能である。
【００６３】
この態様に係る補助テーブルＴＴ１は、上述した実施形態に係る補助テーブルＴ１と同様に、前記支持構造体Ｘ２の後脚Ｘ２２を含む部位である延出部Ｘ２ｘを、前記天板Ｘ１の後端縁Ｘ１ａを越えて平面視外側に位置させることにより、天板Ｘ１の後端縁Ｘ１ａを他のテーブルＴ２の天板ａ１に当接ないし近接させる際に、前記延出部Ｘ２ｘを、前記他のテーブルＴ２の天板ａ１の下方に位置させ、後脚Ｘ２２が補助テーブルＴ１に着座する着座者の妨げにならないようにできる。
【００６４】
さらに、前記後脚Ｘ２２を１本のみ具備するので、他のテーブルＴ２の天板ａ１下方の空間の占有を最小限にでき、従って他のテーブルＴ２の天板ａ１に着座する着座者の下肢を配する空間である下肢空間を広くとることができる。
【００６５】
加えて、１本のみ設けた前記後脚Ｘ２２の下端にキャスタＸ２２１を設けているので、前記後端縁と反対側の端縁である前端縁を持ち上げることによりこの補助テーブルＴＴ１をキャスタＸ２２１のみが接地した状態にでき、このような補助テーブルＴＴ１に隣接させる対象を変更する際、あるいはこの補助テーブルＴＴ１を撤去する際の補助テーブルＴＴ１の移動を容易に行うことができる。
【００６６】
ここで、抽斗支持枠Ｘ５を天板Ｘ１に取り付ける態様として、上述した態様では当該抽斗支持枠Ｘ５と上ステーＸ３１とをビスｂによって共締する態様を例示したが、図１３に示すように、抽斗支持枠Ｘ５に２つのフックＸ５３ａ、Ｘ５３ｂと挟持部Ｘ５４とを設けるとともに、天板Ｘ１の下方に上ステーとは別体の支持枠取付板Ｘ１４を取り付け、挟持ピンＸ１５を用いて当該支持枠取付板Ｘ１４を介して天板Ｘ１に抽斗支持枠Ｘ５を取り付ける態様を採用しても良い。
【００６７】
具体的に説明すると、支持枠取付板Ｘ１４は、天板２の下面側に取り付ける矩形状の板材であり、その前方の所定位置に２つのスリットＸ１４３ａ、Ｘ１４３ｂを設けるとともに、後方の所定位置に別体の挟持ピンＸ５５を入り込ませるためのピン挿通孔Ｘ１４４を設けている。なお、支持枠取付板Ｘ１４を取り付ける天板Ｘ１の下面側には前記スリットＸ１４３ａ、Ｘ１４３ｂ及びピン挿通孔Ｘ１４４に対応する位置にそれぞれ所定形状の彫り込みを設けている。一方天板支持枠Ｘ５は、上記実施形態と略同じ構成を採用しているが、横枠Ｘ５１の平面部Ｘ５２ｂの前端側に、例えば板材を切り起こした２つのフックＸ５３ａ、Ｘ５３ｂを設けるとともに、平面部Ｘ５２ｂの後方には、挟持ピンＸ５５を入り込ませるための挟持穴Ｘ５４とを設けている。そして抽斗支持枠Ｘ５を取り付ける際には、天板Ｘ１の下面側に取り付けた支持枠取付板Ｘ１４のスリットＸ１４３ａ、Ｘ１４３ｂとフックＸ５３ａ、Ｘ５３ｂとの位置を合わせてフックＸ５３ａ、Ｘ５３ｂをスリットＸ１４３ａ、Ｘ１４３ｂに挿入し前方終端位置までスライドさせ、終端位置において連通するピン挿通孔Ｘ１４４と挟持穴Ｘ５４とに挟持ピンＸ１５を挿入し、この挟持ピンＸ１５を前方へスライドさせることによって、支持枠取付板Ｘ１４を介して抽斗支持枠Ｘ５を天板Ｘ１に取り付ける。
【００６８】
斯かる構成を採用することにより、ドライバ等の工具を不要とする、いわゆるノンビスによる抽斗支持枠Ｘ５の取り付けを実現することができる。加えて、設計段階においては抽斗支持枠Ｘ５の取付位置が上ステーＸ３１の位置に依存することを回避することができる。
【００６９】
さらに、図示はしないが、天板と、天板の前端部の下方から垂下して設け天板の前端部を支持する前脚、及び天板の後端部を支持する後脚を備える支持構造体とを具備するとともに、前記後脚が、天板の後端部の下方に位置し天板に当接する当接部、この当接部から天板の後端縁を越えて後方に延びる延出部、及び床面から起立して前記延出部の後端に達する脚支柱を有する構成を採用してもよい。
【００７０】
その他、本発明の趣旨を逸脱しない範囲で種々変形が可能である。
【図面の簡単な説明】
【００７１】
【図１】本発明の一実施形態に係る補助テーブルの全体斜視図。
【図２】同実施形態に係る補助テーブルの平面図,、正面図、及び側面図。
【図３】同実施形態に係る補助テーブルを他のテーブルに隣接して配した状態の平面図。
【図４】同実施形態に係る補助テーブルを他のテーブルに隣接して配した状態の側面図。
【図５】同実施形態に係る補助テーブルの第１天板取付具付近を拡大して示した側面図。
【図６】同実施形態に係る補助テーブルの第２天板取付具付近を拡大して示した側面図。
【図７】本発明の他の実施態様に係る補助テーブルの全体斜視図。
【図８】同実施態様に係る補助テーブルの正面図。
【図９】同実施態様に係る補助テーブルの平面図。
【図１０】同実施態様に係る補助テーブルの側面図。
【図１１】同実施態様に係る補助テーブルの要部の分解斜視図。
【図１２】同実施態様に係る補助テーブルの天板支持体の模式的な中央横断面図。
【図１３】本発明の他の実施態様に係る補助テーブルの要部の分解斜視図。
【符号の説明】
【００７２】
Ｔ１、ＴＴ１…補助テーブル（天板付家具）
１、Ｘ１…天板
１ａ、Ｘ１ａ…後端縁
２、Ｘ２…支持構造体
２１、Ｘ２１…前脚（第１の脚）
２２、Ｘ２２…後脚（第２の脚）
２３、Ｘ２３…フレーム
２ｘ、Ｘ２ｘ…延出部
ａ１…他のテーブルの天板（他の天板）
【図１】
2006326275.tif 000003
【図２】
2006326275.tif 000004
【図３】
2006326275.tif 000005
【図４】
2006326275.tif 000006
【図５】
2006326275.tif 000007
【図６】
2006326275.tif 000008
【図７】
2006326275.tif 000009
【図８】
2006326275.tif 000010
【図９】
2006326275.tif 000011
【図１０】
2006326275.tif 000012
【図１１】
2006326275.tif 000013
【図１２】
2006326275.tif 000014
【図１３】
2006326275.tif 000015